(57)【要約】  切削工具は多角形のカッターボディとカッターボディの軸方向一端に配置されたセレーションつきインサート座に取り付けられた切り屑生成加工用の端部切削インサートを含む。インサートの底面は複数の平行なセレーションを有し、それがインサート座の対応するセレーションと噛み合う。セレーションは長手軸に対して横方向に延びて、インサートに加わる軸方向後方への切削力に対抗する。インサート座は直接カッターボディによって形成される、又はインサートの下に配置される敷板によって形成される。敷板にはカッターボディに力を伝達するために下向きのリップが設けられる。インサートは正方形であっても三角形であってもよく、セレーションは、それぞれの切れ刃に隣接する複数組の平行なセレーションという形である。
2014510644.tif 000002
【特許請求の範囲】
【請求項１】
切り屑生成加工用の切削インサート（１４Ａ）であって、
一対の長い側面（４６）と一対の短い側面（４８）とによって連結された上面と底面（４２，４４）とを含む多角形の形のボディを備え、
長い側面（４６）は上面（４２）と交わってそれと共に一対の主切れ刃（５０）を形成し、短い側面（４８）は上面（４２）と交わってそれと共に一対の副切れ刃（５２）を形成し、
副切れ刃（５２）は主切れ刃（５０）より短く、二つの主切れ刃（５０）と交わり、
上面（４２）は、二つの副切れ刃（５２）を通って延びる切削インサート（１４Ａ）の仮想二等分線（Ｂ）のまわりで実質的に対称に形成され、
底面（４４）には複数のセレーション（６０）が形成され、底面（４４）に形成されたすべてのセレーション（６０）は互いに平行に向いて二等分線（Ｂ）に対して横方向に延びることを特徴とする切削インサート（１４Ａ）。
【請求項２】
セレーション（６０）の各々は二等分線（Ｂ）と約３０°から約９０°までの範囲にある角度（α）を成すことを特徴とする請求項１に記載の刃先割出可能な切削インサート（１４Ａ）。
【請求項３】
角度（α）は実質的に９０°であることを特徴とする請求項１に記載の刃先割出可能な切削インサート（１４Ａ）。
【請求項４】
切削インサート（１４Ａ）の幾何中心を通って上面（４２）から底面（４４）まで貫通孔（５４）が延び、少なくとも２つのセレーション（６０）が二等分線に沿って間隔をあけ、貫通孔（５４）の対向するそれぞれの側に位置していることを特徴とする請求項１に記載の刃先割出可能な切削インサート（１４Ａ）。
【請求項５】
セレーション（６０）は底面（４４）の実質的に全面積に形成されていることを特徴とする請求項１に記載の刃先割出可能な切削インサート（１４Ａ）。
【請求項６】
切削インサート（１４，１４Ａ）用のインサート座を規定する敷板（７０）であって、敷板（７０）は第１及び第２の部分（７２，７４）を含み、第１の部分（７２）は実質的に平行な上面と下面（７６，７８）とを有し、敷板（７０）の前後方向（Ｄ）に沿って間隔をあけた前端と後端とを画定し、
上面（７６）は複数のセレーション（８０Ａ）を含み、上面（７６）に形成されるすべてのセレーション（８０Ａ）は互いに平行に向いて前後方向（Ｄ）に対して横方向に延び、
第二の部分（７４）は第１の部分（７２）の前端に配置され、下面（７２）を超えて下向きに突出するリップ（７５）を形成することを特徴とする敷板（７０）。
【請求項７】
第１の部分（７２）は上面と下面（７６，７８）とを通って延びる貫通孔（９０）を含むことを特徴とする請求項６に記載の敷板（７０）。
【請求項８】
リップ（７５）は、それぞれ上面と下面（７６，７８）とから延びる前面と背面（８４，８６）とを含み、背面（８６）は上面（７６）に対して実質的に直角方向に向いていることを特徴とする請求項６に記載の敷板（７０）。
【請求項９】
リップ（７５）は、それぞれ上面と下面（７６，７８）とから延びる前面と背面（８４，８６）とを含み、背面（８６）は下面（７８）と斜めの角度（β）を成すことを特徴とする請求項６に記載の敷板（７０）。
【請求項１０】
リップ（７５）は、それぞれ上面と下面（７６，７８）とから延びる前面と背面（８４，８６）とを含み、背面（８６）は下面（７８）と鋭角を成すことを特徴とする請求項６に記載の敷板（７０）。
【請求項１１】
セレーション（８０Ａ）は敷板（７０）の前後方向（Ｄ）と約３０°から約９０°までの範囲の角度を成すことを特徴とする請求項６に記載の敷板（７０）。
【請求項１２】
長手軸（Ａ）を規定するカッターボディ（１２）と、カッターボディ（１２）の軸方向一端に配置されたセレーションを有するインサート座に取り付けられた切り屑生成加工用の少なくともひとつの割出可能な端部切削インサート（１４Ａ）と、を備える切削工具であって、
切削インサート（１４Ａ）は複数の側面（４６，４８）によって連結された上面と底面（４２，４４）とを含み、
側面は上面（４２）と交わってそれと共に複数の切れ刃を形成し、そのうちのひとつは長手軸（Ａ）と略平行に配置された有効切れ刃となるように配置され、
底面（４４）は複数の平行なセレーション（６０）を含み、それがセレーションを有するインサート座の対応するセレーション（８０，８０Ａ）と噛み合って係合するように配置され、
切削インサート（１４Ａ）の底面（４４）とセレーションとを有するインサート座に形成されたすべてのセレーション（６０，８０，８０Ａ）は、互いに平行に向き、有効切れ刃（５０）と長手軸（Ａ）との両方に対して横方向に延びて、切削インサート（１４Ａ）がカッターボディ（１２）の横方向に向いた面に圧しつけられる状態で切削作業において切削インサート（１４Ａ）に加わる軸方向後方への力に対抗することを特徴とする切削工具。
【請求項１３】
セレーション（６０，８０，８０Ａ）は長手軸と約３０°から約９０°までの範囲にある角度（α）を成すことを特徴とする請求項１２に記載の切削工具。
【請求項１４】
角度（α）は実質的に９０°であることを特徴とする請求項１３に記載の切削工具。
【請求項１５】
角度（α）は鋭角であり、各セレーションの軸方向外側端がその径方向内側端よりも前方に配置されていることを特徴とする請求項１２に記載の切削工具。
【請求項１６】
側面（４６，４８）と上面（４２）との交わりが主切れ刃及び副切れ刃（５０，５２）の第１及び第２の対を形成し、副切れ刃（５２）は主切れ刃（５０）よりも短く、各副切れ刃（５２）は二つの主切れ刃（５０）と交わり、上面（４２）は二つの副切れ刃（５２）を通って延びる仮想二等分線（Ｂ）のまわりで実質的に対称に形成され、切削インサート（１４）のセレーション（６０）とインサート座のセレーションとは二等分線（Ｂ）に対して横方向に延びていることを特徴とする請求項１２に記載の切削工具。
【請求項１７】
さらに、切削インサート（１４）の貫通孔（５４）を通って延びてカッターボディ（１２）のねじ溝つき孔（９２）に螺合的に結合される取り付けねじを含み、取り付けねじによって切削インサート（１４）がカッターボディ（１２）の横方向の面に圧しつけられることを特徴とする請求項１２に記載の切削工具。
【請求項１８】
インサート座は切削インサート（１４）とカッターボディ（１２）との間に取り付けられた敷板（７０）によって構成されることを特徴とする請求項１２に記載の切削工具。
【請求項１９】
敷板（７０）は、インサート座のセレーション（８０）が形成された第１の部分（７２）と、カッターボディ（１２）の軸方向端に位置する第１の部分の前端に配置された第２の部分（７４）とを含み、第２の部分（７４）は切削インサート（１４）から離れる方向に延び、下にあるカッターボディ（１２）の前端の部分と係合するリップ（７５）を画定することを特徴とする請求項１８に記載の切削工具。
【請求項２０】
セレーションを有するインサート座がカッターボディ（１２）に直接形成されることを特徴とする請求項１２に記載の切削工具。
【請求項２１】
さらに、追加の切削インサート（１４）を含み、それがカッターボディ（１２）上でそれぞれの端部インサート（１４Ａ）の後に配置されて複数のらせん状切れ刃（１８）を形成することを特徴とする請求項１２に記載の切削工具。
【請求項２２】
切削工具がミーリングカッターを含むことを特徴とする請求項１２に記載の切削工具。
【請求項２３】
切り屑生成加工のための切削インサート（２００，３００）であって、
上面と底面、及び上面を連結してそれと共に対応する切れ刃を形成する少なくとも３つの側面を含む多角形のボディを備え、
底面にはそれぞれの切れ刃（２０２ａ〜２０２ｄ，３０２ａ〜３０２ｃ）に隣接して配置された複数の組のセレーション（２０４ａ〜２０４ｄ，３０４ａ〜３０４ｃ）が形成され、各組のすべてのセレーション（２０４ａ〜２０４ｄ，３０４ａ〜３０４ｃ）は互いに平行に向き、それぞれの切れ刃に対して横方向に延び、各組のセレーション（２０４ａ〜２０４ｄ，３０４ａ〜３０４ｃ）の少なくともいくつかはその一端で閉じており、各組のセレーション（２０４ａ〜２０４ｄ，３０４ａ〜３０４ｃ）は少なくとも２つの他の組のセレーション（２０４ａ〜２０４ｄ，３０４ａ〜３０４ｃ）と非平行に向いていることを特徴とする切削インサート（２００，３００）。
【請求項２４】
各組のセレーション（２０４ａ〜２０４ｄ，３０４ａ〜３０４ｃ）は長さが異なり、セレーション（２０４ａ〜２０４ｄ，３０４ａ〜３０４ｃ）のうちの短いものがその組の端に配置されていることを特徴とする請求項２３に記載の切削インサート（２００，３００）。
【請求項２５】
ボディは正方形であることを特徴とする請求項２３に記載の切削インサート（２００）。
【請求項２６】
ボディは三角形であることを特徴とする請求項２３に記載の切削インサート（３００）。
【請求項２７】
長手軸（Ａ）を規定するカッターボディと、カッターボディの軸方向一端に配置されたセレーションを有するインサート座に取り付けられた切り屑生成加工用の少なくともひとつの割出可能な端部切削インサート（１４Ａ）を備える切削工具であって、
切削インサートは上面と底面、及び上面と交わってそれと共に対応する切れ刃を形成する少なくとも３つの側面を含む多角形ボディを備え、
底面にはそれぞれの切れ刃に隣接して配置された複数の組のセレーション（２０４ａ〜２０４ｄ，３０４ａ〜３０４ｃ）が形成され、各組のすべてのセレーション（２０４ａ〜２０４ｄ，３０４ａ〜３０４ｃ）は互いに平行に向き、それぞれの切れ刃に対して横方向に延び、
各組のセレーション（２０４ａ〜２０４ｄ，３０４ａ〜３０４ｃ）は少なくとも２つの他の組のセレーション（２０４ａ〜２０４ｄ，３０４ａ〜３０４ｃ）と非平行に向いており、
セレーションつきインサート座は切れ刃に対して横方向にただひとつの方向に延びてこの横方向に延びる切削インサートのセレーションとだけ噛み合って切削インサートをカッターボディの横方向に向いた面に圧しつけることを可能にすることを特徴とする切削工具。
【請求項２８】
長手軸（Ａ）を規定し切削インサート（１４）を取り付けるのに適合するインサート座を形成しているカッターボディ（１２）であって、
インサート座はカッターボディ（１２）の長手方向前端に配置された端部インサート座を含み、インサート座は複数のセレーション（８０，８０Ａ）を含み、カッターボディ（１２）に形成されたすべてのセレーション（８０，８０Ａ）は互いに平行に向き、長手軸（Ａ）に対して横方向に延びていることを特徴とするカッターボディ（１２）。
【発明の詳細な説明】
【技術分野】
【０００１】
本発明は、カッターボディに装着され、カッターボディの軸方向及び長手方向でかなり大きな切削力を受ける金属を切削するインサートを使用して切り屑生成加工を行う方法及び装置に関する。
【背景技術】
【０００２】
背景技術に関する以下の説明で、いくつかの構造及び／又は方法が参照される。しかし、それは以下の参照がそれらの構造及び／又は方法が従来技術を構成すると認めるものであると解釈してはならない。本発明の出願人は、それらの構造及び／又は方法が従来技術を構成するものではないと強調する権利を明記して留保する。
【０００３】
金属被削材の切り屑生成加工のための切削工具は、普通、薄い多角形の、例えば四角形（正方形又は非正方形）や三角形の切削インサートをカッターボディに装着して用いる。そのようなインサートは上面と底面が側面で連結され、側面が上面と交わって切れ刃を形成する。
【０００４】
例えば、長い切れ刃を有するミーリングカッターでは、切削インサートはカッターボディ上のそれぞれのインサート座に、各インサートの切れ刃のひとつが有効切れ刃を連続するように、そして前後の軸方向で、すなわちカッターボディの長手軸に対して略径方向に配置される。これらの切れ刃は、一般に、らせん状の切れ刃を形成するように整列され、カッターボディの長手軸のまわりでカッターボディと被削材との間に相対的な回転が生ずるとそれによって被削材が切削される。さらに、カッターボディ上の最先端の各インサートは長手軸に対して横方向に向いた有効な先端切れ刃を有する。切削動作の際、すべてのインサートにはカッターボディの径方向内向きの力がかかり、インサートがカッターボディの径方向外向きの面に支えられるような仕方でインサートを装着することによってそれに対抗する。その他に、先端インサートには、横向きの有効切れ刃があるために、カッターボディの軸方向後方への相当な力がさらに加わる。
【０００５】
先端インサートにかかる軸方向後方への力は、装着ねじによっては完全に対抗することはできず、さらにインサートをカッターボディの軸方向前向きの支持壁に当接させることによって対抗できる。しかし、これはカッターボディを製作するための材料の量を増加させ、隣接する位置のインサートでの切り屑生成を妨げることがある。また、当接するインサートの当接面の形に合致するように支持壁を構成することで、カッターボディが多様な形を受け入れることができなくなる恐れがある。
【０００６】
また、先端インサートにかかる軸方向の力に対して、インサートの底面に凹み、例えば略ピラミッド形の凹みを設けて、インサート座の対応する形の上向き突起にそれが載るようにすることが提案されている（例えば、特許文献１参照）。しかし、このやり方では限られた場合しか成功しない。
【０００７】
アルミニウムなどの比較的軽い材料を切削する高速カッターの場合、インサートには大きな遠心力がかかる。このような遠心力に対して、切削インサートの底面にカッターボディの長手軸と平行な向きのセレーションを設け、それがインサート座に形成される対応するセレーションと噛み合うようにして遠心力に対抗することが提案されている（例えば、特許文献２参照）。しかし、このようなセレーションは、もっと重い材料を切削する低速のカッターの先端に加わる軸方向の力には効果的に対抗できないであろう。
【０００８】
特許文献３及び４では、切削インサートの底面に２組のセレーションを設け、各組のセレーションは互いに平行で、他方の組のセレーションに対して直角になるようにすることが提案された。このような対向するセレーションの組が、インサート座に形成される対応するセレーションと噛み合って、異なる方向に加わる切削力に対抗する。このタイプのインサートは効果的であるが、製造が比較的難しく高価になる。各組のセレーションによって規定される力に対抗する全表面積は、他方の組が存在するために小さくなる。さらに、いったんインサートが装着されると、どの方向への動きもロックされ、インサートをカッターボディの面に圧しつけて、例えば取り付けねじによって圧しつけてインサートの安定性を高めることができない。
【０００９】
インサート座をカッターボディ上に直接形成することも、インサートとカッターボディの間に別の敷板を介在させて形成することもできる。この敷板は、切削作業中に切削インサートに破壊的な故障が起こった場合にカッターボディにある程度の防護となる。
【先行技術文献】
【特許文献】
【００１０】
【特許文献１】米国特許第７８１９６１０号明細書
【特許文献２】米国特許第６９２１２３４号明細書
【特許文献３】米国特許第６１４６０６０号明細書
【特許文献４】米国特許第７５８５１３７号明細書
【発明の概要】
【発明が解決しようとする課題】
【００１１】
前述のことから、軸方向後方への力に対する支持が改善された切削インサートを提供することが望ましい。
【課題を解決するための手段】
【００１２】
本明細書に開示されるのは、切り屑生成加工のための切削インサートであって、一対の長い側面と一対の短い側面によって連結される上面と底面を含む多角形ボディを備え、側面が上面と交わって一対の主切れ刃と一対の副切れ刃を形成している切削インサートである。各副切れ刃は主切れ刃よりも短く、二つの主切れ刃と交わる。上面は二つの副切れ刃を通って延びる仮想的二等分線に関して対称に形成される。底面には複数のセレーションが形成されている。底面のセレーションはすべて互いに平行であり、この二等分線に対して横方向に延びている。
【００１３】
切削インサートのインサート座を規定する敷板も開示される。この敷板は第１及び第２の部分を含み、第１の部分は実質的に平行な上面と下面を有し、敷板の前後方向で間隔をあけた前端と後端を規定している。上面は複数のセレーションを含む。上面に形成されたすべてのセレーションは互いに平行であり、前後方向に対して横方向に延びている。第２の部分は、第１の部分の少なくとも前端に配置されて下面を超えて下向きに突出したリップを形成する。リップの代わりに、第１の部分の下面に平行なセレーションを設けることもできる。
【００１４】
さらに、長手軸を規定するカッターボディと、カッターボディの軸方向の一端に配置されたセレーションを有するインサート座に装着された少なくともひとつの切り屑生成加工用の刃先割出可能な端部切削インサートを備える切削工具が開示される。切削インサートは、上面と下面を含み、それらが複数の側面によって連結され、側面は上面と交わって複数の切れ刃を形成し、それらのひとつが長手軸と略平行に向いた有効切れ刃を構成するように位置している。底面は、複数の平行なセレーションを有し、それらはインサート座の対応するセレーションと噛み合うように配置される。インサートのすべてのセレーション及びインサート座のすべてのセレーションは互いに平行に向いており、有効切れ刃と長手軸の両方に対して横方向に延びて、切削動作の際にインサートがカッターボディの横方向に向いた面に圧しつけられる状態でインサートに加わる軸方向後方への力に対抗する。
【００１５】
さらに、切り屑生成加工用の切削インサートが開示される。これは、上面と底面を含む多角形ボディと、上面に連結されて対応する切れ刃を形成する少なくとも３つの切削インサートを含む。底面には複数の組のセレーションがそれぞれの切れ刃に隣接する配置で形成される。各組のすべてのセレーションは互いに平行で、それぞれの切れ刃に対して横方向に延びている。各組の少なくともいくつかのセレーションは一端が閉じている。各組のセレーションは少なくとも２つの他の組のセレーションと非平行に向いている。
【００１６】
また、長手軸を規定するカッターボディと、カッターボディの軸方向の一端に配置されたセレーションを有するインサート座に取り付けられた少なくともひとつの刃先割出可能な端部切削インサートを含む切削工具も開示される。切削インサートは、上面と下面と、上面と連結して対応する切れ刃を形成する少なくとも3つの側面を含む多角形のボディを備える。下面には複数の組のセレーションがそれぞれの切れ刃に隣接した配置で形成されている。各組のすべてのセレーションは互いに平行に向き、それぞれの切れ刃に対して横方向に延びている。各組のセレーションは少なくとも２つの他の組のセレーションと非平行に向いている。セレーションを有するインサートは切れ刃に対して横方向にただひとつの方向に延び、この横方向に延びるセレーションとだけ噛み合って切削インサートをカッターボディの横向きの面に（例えば、取り付けねじによって）圧しつけることを可能にするセレーションを含む。
【００１７】
また、長手軸を規定し切削インサートを取り付けるのに適するインサート座を形成するカッターボディも開示される。インサート座は、カッターボディの長手方向の前端に配置された端部インサート座を含み、その端部インサート座は複数のセレーションを含む。カッターボディに形成されたすべてのセレーションは互いに平行に向き、長手軸に対して横方向に延びている。
【図面の簡単な説明】
【００１８】
【図１】長い切れ刃を有するミーリングカッターを示す正面斜視図であり、正面側切削インサートのひとつがインサート座を構成する敷板と共に取り付けられる過程で示されている。
【図２】図１の切削インサートと敷板を示す分解斜視図である。
【図３】図１の切削インサートを示す底面斜視図である。
【図４】第１の形態の敷板に取り付けられた切削インサートを示す側面図である。
【図５】第２の形態の敷板に取り付けられた切削インサートを示す側面図である。
【図６】第３の形態の敷板に取り付けられた切削インサートを示す側面図である。
【図７】長い切れ刃を有するミーリングカッターを示す側面図であり、カッターボディに直接形成されたセレーションを有するインサート座を示している。
【図８】インサート座のセレーションとカッターボディの長手軸の第１の関係を示すカッターボディの概略図である。
【図９】インサート座のセレーションとカッターボディの長手軸の第２の関係を示すカッターボディの概略図である。
【図１０】底面に複数組のセレーションが形成された正方形の切削インサートを示す概略図である。
【図１１】図１０の正方形の切削インサートをカッターボディのポケットに配置された敷板に取り付けて示す側面図である。
【図１２】底面に複数組の平行なセレーションが形成された三角形の切削インサートを示す底面図である。
【発明を実施するための形態】
【００１９】
以下で説明するように、カッターボディ、例えばミーリングカッターのカッターボディなど、の軸方向前端に配置されたそれぞれのインサート座に取り付けられる切削インサートはセレーションを有し、それがインサート座の対応するセレーションと噛み合う。セレーションはフライス削り作業中にインサートに加わる軸方向後方への力に対抗するように向いている。すなわち、セレーションはカッターボディの長手軸に対して横方向に向いている。
【００２０】
図１には、カッターボディ１２を備え、そこに取り付けねじ１６によってそれぞれの切削インサート１４が固定されるインサート座が配置されるロングエッジ・フライス削りカッター１０が示されている。これらのねじはインサートに形成された貫通孔を通ってカッターボディに形成されたねじ溝つき孔にねじ込まれて固定される。インサート１４はカッターボディの長手軸Ａのまわりにらせん状に配列された複数のカッティング・フリュート１８を形成するように配置される。フリュート１８に隣接してらせんチャンネル２２が配置されて切削動作中に被削材（図示せず）から分離される切り屑を導くようになっている。
【００２１】
インサート１４は、カッターボディの軸方向前端に位置する正面インサート、又は端部インサート、を含む。前に説明したように、フライス削りカッターにおけるすべてのインサートには、カッターボディの長手軸に略平行に向いた有効な軸方向切れ刃が存在するため、フライス削り作業の間に径方向内向きの切削力が作用する。しかし、正面インサート１４Ａには、また、横方向の有効な切れ刃が存在するために軸方向後方への強い切削力が作用する。本発明は、正面インサートに作用するこの軸方向の力に、正面インサートとそれぞれのインサート座に特別の向きのセレーションを設けることによって効果的かつ経済的な仕方で対抗するやり方を説明する。
【００２２】
各正面インサート１４Ａは，一般に非正方形の矩形のボディを有するが、あとで説明するように、インサートは正方形や三角形など別の形であってもよい。インサート１４は，また、上面と底面４２、４４を含み、それらは複数の長い側面４６と短い側面４８を含む側面によって連結されている。長い側面は上面と交わって2つの主切れ刃５０を形成し、短い側面は上面と交わって2つの副切れ刃５２を形成する。副切れ刃５２は主切れ刃よりも短く、各副切れ刃はインサートのそれぞれのコーナーで二つの主切れ刃と交わる。貫通孔５４がインサートの幾何的中心を通って延び、固定ねじ１６を受け入れる。
【００２３】
インサートの長手方向の仮想二等分線Ｂ（図３）は副切れ刃５２を通り貫通孔５４を通って延びてインサートを長手方向に沿って二等分する。すなわち、副切れ刃５２は、二等分線Ｂに対して横方向に延び、主切れ刃５０はこの二等分線と略平行に延びる。インサートは、１８０°回して主切れ刃と副切れ刃のペアのどちらかを切削位置に配置できるという意味で割出可能である。
【００２４】
各正面インサート１４Ａの上面４２は仮想二等分線Ｂに関して実質的に対称に成形される。底面４４は平行に交替する凹みと突起を含み、それらは二等分線Ｂに対して横方向に延びる複数のセレーション６０を画定し、あとで説明するように、それはインサート座のセレーション８０又は８０Ａと噛み合う。力に対抗する面積を最大にするために面４４の全体にセレーションが形成されることが好ましい。セレーション６０は二等分線Ｂと角度αを成し、したがって軸Ａと角度αを成す。例えば、図８に示すように角度αは軸方向後方への切削力に対する最大の抵抗を与えるように実質的に９０°であってもよい。しかし、図９に示すように、角度αは鋭角で、約３０°という小さな角であってもよい。鋭角の場合。セレーションの傾きは、図９に示すように、各セレーションの径方向外側端がそのセレーションの径方向内側端よりも前方に配置されるようになることが好ましい。こうして、インサートに作用する軸方向後方への切削力は径方向内向きの成分を有し、それが切削インサートを径方向内側へカッターボディに対して圧しつけるように働いて切削作業中のインサートの振動に対してより効果的に抵抗できる。
【００２５】
セレーション６０は二等分線Ｂに沿って間隔をあけて、二等分線Ｂの方向で考えたとき、貫通孔５４のそれぞれの側にひとつ以上のセレーションが配置されるようになっている。貫通孔のそれぞれの側にいくつのセレーションがあってもよく、一方の側に他方の側よりも多くのセレーションがあってもよい。
【００２６】
セレーション６０は適当などんな形態を有してもよく、例えば開示内容が参照によって本明細書に組み込まれる米国特許第６９２１２３４号明細書に記載されたどの形態を有してもよい。
【００２７】
上述したように、インサート１４Ａカッターボディに配置されたインサート座に取り付けられる。インサート座８０は、図７に示されるように、カッターボディ１２に直接形成することもでき、又はインサート座８０Ａを、図１，２及び４〜６に示されるように、カッターボディとインサートの間に配置される敷板７０によって構成することもできる。
【００２８】
最初にインサート座が敷板７０によって画定される場合について説明する。敷板はカッターボディ１２と正面インサート１４Ａの間に配置することが好ましい。何故なら、破壊的なインサートの故障が起こった場合、正面インサートの下に配置されたカッターボディの部分は特に損傷しやすいからである。しかし、敷板は他のインサートに対して設けることもできる。
【００２９】
各敷板は前後方向Ｄを規定し（図２）、第１及び第２の部分７２，７４を含む。方向Ｄはカッターボディの軸Ａと実質的に平行に向いている。第１の部分７２は実質的に平行な上面と下面７６，７８を有する。下面７８はなめらかであり、上面７６には複数のセレーション８０が形成され、それは前後方向Ｄに対して横方向に、すなわちインサートのセレーションの角度αに対応する角度で延びている。第２の部分７４は、第１の部分の前端に配置され、下面７８を超えて延びる下向きに突出するリップ７５を形成する。このリップは、カッターボディのセクション８２の上に被さって係合し（図１）、敷板をカッターボディの軸方向で正確に定位させ、切削インサートによって伝達される軸方向後方への力に抵抗する。また、リップは切削インサートに破壊的な故障が起こった場合に下にあるカッターボディの部分に対してある程度の余分な保護となる。リップ７５は、上面と下面７６，７８の前端からそれぞれ延びる前面と背面８４，８６を含む。好ましくは、図４に示されるように、背面８６は下向きに延び、前方に、すなわち下面７８から離れるように、鈍角δで傾斜してカッターボディの対応する角度がつけられたセクション８２と係合する。
【００３０】
あるいはまた、背面８６を図６に示されるように下面７８と直角方向に向ける、又はそれを後方に、すなわち敷板の後端の方に傾斜させて図５に示されるように下面７８と鋭角βを成すようにすることもできる。
【００３１】
上面７６から下面７８まで貫通孔９０が敷板を通って延び（図２）、固定ねじ１６を受けるようになっている。敷板のセレーション８０は、インサートのセレーション６０と噛み合うように形成されている。すなわち、セレーション６０の向きに応じて、セレーション８０は前後方向Ｄに対して（したがって、軸Ａに対して）直角方向に向けることも、又は前後方向Ｄに対して（したがって、軸Ａに対して）４５°の角度に向けることもできる。
【００３２】
セレーション６０の場合と同様、セレーション８０の一部は貫通孔９０の一方の側に配置され、他のセレーションは方向Ｄで考えて貫通孔９０の反対の側に配置されている。
【００３３】
フライス削り作業の間、端部切削インサートに加えられる軸方向後方への力は、セレーション６０，８０によって敷板に伝達され、その力はさらに、リップ７５によってカッターボディに伝達され、カッターボディがそれに抵抗する。
【００３４】
リップ７５の代わりに、敷板を工具のポケットに取り付け、ポケットの壁と係合して伝達される軸方向後方への力に抵抗することもできる。
【００３５】
敷板が設けられない場合、すなわち、インサート座がカッターボディに直接形成される場合、図７に示されるように、セレーション８０ａがカッターボディに直接形成される。セレーション６０，８０，８０ａの場合と同様、このセレーション８０ａも長手軸Ａに対して３０〜９０°の範囲にある角を成す。セレーション８０ａの孔９２に対する関係は前述したセレーション８０の貫通孔９０に対する関係と同じである。
【００３６】
上で説明したように、各正面インサートは固定ねじ１６を受け入れる貫通孔５４を有する。ねじ１６は、インサートの孔５４の側面に支えられるヘッド１００を有する（図４を見よ）。ねじ１６はまたねじ溝つきの端１０２を有し、それがカッターボディのねじ溝つき孔９２に螺合して受け入れられる。（インサート座が敷板によって構成されるかカッターボディに直接形成されるかに関わりなく）インサートのセレーション６０とインサート座のセレーション８０（又は８０ａ）が噛み合うようにインサート座にインサートが装着され、インサートがカッターボディに当接するように径方向に押しつけられたとき、ねじ溝つき孔９２の中心と貫通孔５４の中心が完全に一致しないことが好ましい。むしろ、図４に示されるように、これらの中心は距離ｄだけ径方向にわずかにずれている。ずれは、固定ねじが取り付けられたとき、固定ねじのヘッド１００が軸方向前向き成分と径方向外向き成分を有する方向にわずかに弾性的に曲げられるような方向に生ずる。その結果、ねじが径方向内向き軸方向後方に曲がっていない形にリバウンドしようとして、インサートに対するプレストレスが生まれ、インサートをカッターボディの横方向に向いた面９３に略軸方向後方へそして略径方向内向きに圧しつけて（図１及び７参照）、振動に対するインサートの安定性を高める。
【００３７】
ねじ１６の曲げの程度（したがって、プレストレスの強さ）は、敷板を用いた場合には敷板を用いない実施形態に比べて長いねじ１６を用いることができるので、より大きくなるということは理解されるであろう。
【００３８】
以上の説明から、正面インサート１４Ａがカッターボディ１２に取り付けられると、インサートのセレーション６０とインサート座のセレーション８０（又は８０Ａ）の噛み合う係合によって、インサートはフライス削り作業中に正面インサート１４Ａに加わる比較的強い軸方向後方への力に効果的に対抗できるということが理解されるであろう。敷板が用いられる場合、リップ７５と工具ボディの係合によって、軸方向後方への切削力を敷板からカッターボディに伝達することが可能になる。
【００３９】
前に指摘したように、切削インサートはいろいろな形をとることができる。図１０には４つの切れ刃２０２ａ〜２０２ｄを有し、４つの切削位置の間で割出すことができる正方形の切削インサート２００が示されており、切れ刃のひとつがカッターボディの長手軸に略平行に向いた有効な切れ刃になっている。その底面に、インサート２００は各切れ刃２０２ａ〜２０２ｄに関連した４組の平行なセレーション２０４ａ〜２０４ｄを有する。各組のセレーションは、他の２組のセレーションと非平行に延び、それぞれの切れ刃に対しては横方向に向いてそれに加わる軸方向の切削力に抵抗するようになっている。各組のセレーションは長さが累進的に変わり、最も長いセレーションはインサートの貫通孔２０６に隣接しており、最も短いセレーションは切れ刃のそれぞれの端に位置している。各セレーションは一端が閉じているが、孔２０６の方へ延びる各組の中央に位置するセレーションは孔と交わるので両端が開いていることがある。
【００４０】
インサート２００のためのインサート座は、軸方向の切削力に対抗することができ、インサートをカッターボディの横方向に向いた面に圧しつけることができるように構成される。そのようなインサート座の一例は、敷板によって、又はカッターボディ自身によって形成できる。インサート座には、カッターボディの軸Ａに対して横方向に向いた２組の平行なセレーションが設けられ、どちらの切れ刃が有効な切れ刃になるかによって、インサートのセレーション２０４ａ及び２０４ｃ（同じ方向に延びている）又はインサートのセレーション２０４ｂ及び２０４ｄ（同じ方向に延びている）と噛み合う。インサートのセレーションの噛み合っていない２つの組は、インサート座のセレーションがない部位によって、例えば凹んだ部位によって受けられ、したがって不使用の状態とされ、カッターボディの方へのインサートの動きを妨げることができない。こうして前述したように、インサートを取り付けねじによってカッターボディの横向きの面に圧しつけることができる。
【００４１】
前に説明したように、セレーションの組２０４ａ〜２０４ｄは、切れ刃に対して直角方向に向ける代わりに、それぞれの切れ刃に対して約３０°以上の鋭角で向けることもできる。その場合、インサート座は有効な切れ刃につながるセレーションと噛み合うように配置されたセレーションの組をただひとつ有する。インサート座はまた、インサートの他の２組のセレーションを受け入れて不使用の状態とするための２つのセレーションなしの部位を含む。したがって、取り付けねじによってインサートを確実にカッターボディに圧しつけることができる。
【００４２】
正方形インサート２００のインサート座が敷板によって構成される場合、敷板は軸方向後方に向けられる切削力を任意の適当な仕方で、例えば前述のリップ７５によって、又は図１１に示されるようなポケット２１４の壁２１２との係合によって、カッターボディに伝達するように構成できる。
【００４３】
切削インサートの別の可能な形は、図１２に示されるような三角形の形である。その場合、三角形インサート３００は３つの切れ刃の組３０２ａ〜３０２ｃを有し、３つの切削位置の間で割出可能である。３組のセレーション３０４ａ〜３０４ｃがそれぞれの切れ刃に対して設けられる。各組のセレーションは他の２組のセレーションに対して非平行になる。対応するカッターボディのインサート座はただひと組のセレーションだけを有し、インサートのただひと組のセレーション、すなわち有効な切れ刃と関連するセレーション、と噛み合う。インサート座はまた、他のセレーションを受容するための２つの大きな凹みを含む。
【００４４】
ここで開示されたフライス削り工具の実施例は長い切れ刃を有するフライス削り作業用のものであるが、ここに開示した方法は他のフライス削り作業、例えば正面フライス削りやエンドミリング、にも有用であることは理解されるであろう。さらに、それらの方法はフライス削り以外の、旋削や中ぐりなど、大きな軸方向の力に対抗しなければならない他のタイプの切り屑生成加工にも有用である。
【００４５】
ここでは好ましい実施形態につて説明してきたが、具体的に特定しては述べなかった追加、削除、変更及び代用が、添付された特許請求の範囲を逸脱することなく可能であるということは当業者には理解されるであろう。
【００４６】
本出願が優先権を主張する米国特許出願第１３／０４５６３７号明細書の開示内容は参照によって本明細書に組み込まれる。
【図１】
2014510644.tif 000003
【図２】
2014510644.tif 000004
【図３】
2014510644.tif 000005
【図４】
2014510644.tif 000006
【図５】
2014510644.tif 000007
【図６】
2014510644.tif 000008
【図７】
2014510644.tif 000009
【図８】
2014510644.tif 000010
【図９】
2014510644.tif 000011
【図１０】
2014510644.tif 000012
【図１１】
2014510644.tif 000013
【図１２】
2014510644.tif 000014
【国際調査報告】
2014510644.tif 000015
2014510644.tif 000016
2014510644.tif 000017
2014510644.tif 000018
2014510644.tif 000019